(57)【要約】  【課題】  低消費電力化および演算量の削減を実現できる表示装置を提供する。  【解決手段】  任意領域抽出手段６は、ＬＣＤ１１に表示する対象である１フレーム分の画像データから、特定の画像領域（ＲＯＩ）のデータを抽出する。画像内容判別手段５は、任意領域抽出手段６が抽出した特定の画像領域のデータの特徴量を抽出する。バックライト制御手段４は、画像内容判別手段５が抽出した特徴量に基づいて、バックライト１２の輝度を変化させる。【選択図】  図１
2010164977.tif 000002
【特許請求の範囲】
【請求項１】
入力された複数の画像データを合成して、合成画像データを生成する画像合成手段と、
バックライトと、
前記バックライトからの光を受けて、前記合成画像データを表示する液晶ディスプレイと、
前記画像合成手段に入力される前記複数の画像データのうち、少なくとも１つの画像データから、特徴量を抽出する画像内容判別手段と、
前記画像内容判別手段が抽出した前記特徴量に基づいて、前記バックライトの輝度を変化させるバックライト制御手段と、を備える、ことを特徴とする表示装置。
【請求項２】
前記画像内容判別手段が抽出した前記特徴量に基づいて、前記液晶ディスプレイに表示する前記合成画像データの輝度を補正する画質補正手段、
をさらに備える、ことを特徴とする請求項１記載の表示装置。
【請求項３】
前記画質補正手段は、前記液晶ディスプレイに表示する前記合成画像データのうち、前記特徴量を抽出した前記画像データと、前記特徴量を抽出した前記画像データ以外の画像データと、で補正の度合いを異ならせる、ことを特徴とする請求項２記載の表示装置。
【請求項４】
前記画質補正手段は、前記合成画像データのうち、前記特徴量を抽出した前記画像データ以外の前記画像データに対しては、予め定められたしきい値を超えないように補正する、ことを特徴とする請求項３記載の表示装置。
【請求項５】
前記画質補正手段は、前記合成画像データのうち、前記特徴量を抽出した前記画像データ以外の前記画像データを特定の値にする、ことを特徴とする請求項３記載の表示装置。
【請求項６】
バックライトを制御して、合成画像データを液晶ディスプレイに表示させる表示方法であって、
入力された複数の画像データを合成して、前記合成画像データを生成するステップと、
入力された前記複数の画像データのうち、少なくとも１つの画像データから、特徴量を抽出するステップと、
抽出した前記特徴量に基づいて、前記バックライトの輝度を変化させるステップと、を含む、ことを特徴とする表示方法。
【発明の詳細な説明】
【技術分野】
【０００１】
本発明は、液晶ディスプレイ（ＬＣＤ（Ｌｉｑｕｉｄ  Ｃｒｙｓｔａｌ  Ｄｉｓｐｌａｙ））のバックライトの輝度を変化させる表示装置及び表示方法に関する。
【背景技術】
【０００２】
近年の携帯電話端末や携帯情報端末は、ストリーミング配信による動画像の再生や、カメラ機能を有しての静止画像や動画像の撮影、これらの画像のファイルとしての蓄積、また、これらのデータをメールに添付しての送受信を行い、ＬＣＤで表示することが可能なものも少なくない。
【０００３】
また、これらの画像を高精細な画質で、文字や図形などの情報も含めてはっきりと表示させたいという要求が高まってきている。
【０００４】
これらの要求を実現するために、輝度やコントラスト比を上げることが考えられる。
【０００５】
この手法として、バックライトの輝度を上げて、輝度やコントラスト比を上げる技術がある。
【０００６】
しかし、バックライトの輝度を上げると消費電力が増大するため、バッテリ駆動しているこれら携帯端末では、長時間駆動させるために低消費電力化が更に求められることになる。
【０００７】
そこで、これらの問題を解決する従来技術として以下の技術がある。
【０００８】
第１の従来技術は、表示する画像の内容に応じて、バックライトの輝度を変更する画面制御手段を有する。
【０００９】
そして、この画面制御手段が、バックライトの輝度を調整することによって、コントラスト比を高くし、かつ低消費電力化を図る（例えば、特許文献１）。
【００１０】
第２の従来技術は、表示する画像の内容に応じて、バックライトの輝度を変更する画面制御手段を有する。
【００１１】
そして、この画面制御手段が、バックライトの輝度を調整することによって、低消費電力化を図る（例えば、特許文献２）。
【００１２】
第３の従来技術は、表示する画像の内容に応じて、バックライトの輝度を変更する画面制御手段を有する。
【００１３】
そして、この画面制御手段が、変更したバックライトの輝度に応じて画像のコントラスト比を変更することにより最適なコントラスト比を得、かつ低消費電力化を図る（例えば、特許文献３）。
【先行技術文献】
【特許文献】
【００１４】
【特許文献１】特開平５−６６５０１号公報
【特許文献２】特開２００１−１５４６４２号公報
【特許文献３】特開２００１−１５９８８０号公報
【非特許文献】
【００１５】
【非特許文献１】村尾  次男、他２名、"光源の輝度を制御し、液晶パネルを高画質に"、日経エレクトロニクス、1999.11.15（no.757）、P139〜146
【発明の概要】
【発明が解決しようとする課題】
【００１６】
しかしながら、上記の従来技術による表示方法では、１フレーム当たりの特徴量を抽出してバックライトの輝度を決定したり、画像データの輝度やコントラスト比の補正を行う。
【００１７】
ところが、１フレーム内の特定の画像領域（以下、本明細書において、「ＲＯＩ（Ｒｅｇｉｏｎ  Ｏｆ  Ｉｎｔｅｒｅｓｔ）」と呼ぶ。）の画質のみ保証できればよい場合もある。
【００１８】
このような場合でも、上記の従来技術では、１フレーム分の画像データから特徴量を抽出することになる。
【００１９】
従って、この場合は、バックライトの輝度は、ＲＯＩの周辺の画像データを含めて決定されるため、必ずしもＲＯＩに最適なバックライトの輝度とはなっていない。
【００２０】
つまり、ＲＯＩのみでは更にバックライトの輝度を下げることができても、ＲＯＩの周辺の画像データに引きずられて輝度を下げることができず、低消費電力化を妨げることがある。
【００２１】
更に、１フレーム内の全ての画素をモニタして特徴量を抽出しなければならず、演算回数が増加することになる。
【００２２】
そこで、本発明は、低消費電力化および演算量の削減を実現できる表示装置及び表示方法を提供することを目的とする。
【課題を解決するための手段】
【００２３】
第１の構成による表示装置では、バックライトと、バックライトからの光を受けて、画像データを表示する液晶ディスプレイと、液晶ディスプレイに表示する対象である画像データから、任意の画像領域のデータを抽出する任意領域抽出手段と、任意領域抽出手段が抽出した任意の画像領域のデータの特徴量を抽出する画像内容判別手段と、画像内容判別手段が抽出した特徴量に基づいて、バックライトの輝度を変化させるバックライト制御手段と、を備える。
【００２４】
この構成によれば、画像データ全体から特徴量を抽出するのではなく、画像データから抽出した任意の画像領域のデータから特徴量を抽出し、その特徴量に基づいて、バックライトの輝度を変化させる。その結果、特徴量を抽出するための演算回数を削減できる。
【００２５】
また、バックライトの輝度を変化させる際、抽出した任意の画像領域以外の領域のデータの特徴量は考慮されないので、任意の画像領域以外の領域のデータに引きずられて、バックライトの輝度を下げることができないという事態を回避できる。その結果、低消費電力化を図ることができる。
【００２６】
第２の構成による表示装置では、画像内容判別手段が抽出した特徴量に基づいて、液晶ディスプレイに表示する対象である画像データの輝度を補正する画質補正手段、をさらに備える。
【００２７】
この構成によれば、結果的に、バックライトの輝度の変化に応じて、液晶ディスプレイに表示する対象である画像データの輝度が補正されることになるので、バックライトの輝度の変化に対する見かけ上の画質劣化を防止できる。
【００２８】
第３の構成による表示装置では、画質補正手段は、液晶ディスプレイに表示する対象である画像データのうち、任意領域抽出手段が抽出した任意の画像領域のデータと、任意の画像領域以外の領域のデータと、で補正の度合いを異ならせる。
【００２９】
この構成によれば、特徴量を抽出した任意の画像領域以外の領域のデータに対しては、補正後の最大輝度が補正前の最大輝度を越えないように補正することができるため、全体的に画像が白っぽくなってしまうことを防止できる。
【００３０】
第４の構成による表示装置では、画質補正手段は、任意の画像領域以外の領域のデータに対して、予め定められたしきい値を超えないように補正する。
【００３１】
この構成によれば、特徴量を抽出した任意の画像領域以外の領域のデータに対する補正は、予め定められたしきい値を越えないようにクリップ制御することにより実行できるので、輝度補正に必要な演算量を削減できる。
【００３２】
第５の構成による表示装置では、画質補正手段は、任意の画像領域以外の領域のデータを特定の値にする。
【００３３】
この構成によれば、特徴量を抽出した任意の画像領域以外の領域のデータの補正は、例えば、データをゼロにすることにより、任意の画像領域以外の領域が黒となり表示されず、特徴量を抽出した任意の画像領域のみ表示するという特殊効果を得ることができる。
【００３４】
第６の構成による表示装置では、入力された複数の画像データを合成して、合成画像データを生成する画像合成手段と、バックライトと、バックライトからの光を受けて、合成画像データを表示する液晶ディスプレイと、画像合成手段に入力される複数の画像データのうち、少なくとも１つの画像データから、特徴量を抽出する画像内容判別手段と、画像内容判別手段が抽出した特徴量に基づいて、バックライトの輝度を変化させるバックライト制御手段と、を備える。
【００３５】
この構成によれば、画像合成手段に入力される複数の画像データの全てから特徴量を抽出するのではなく、少なくとも１つの画像データから特徴量を抽出し、その特徴量に基づいて、バックライトの輝度を変化させる。その結果、特徴量を抽出するための演算回数を削減できる。
【００３６】
また、バックライトの輝度を変化させる際、特徴量を抽出した画像データ以外の画像データの特徴量は考慮されないので、特徴量を抽出した画像データ以外の画像データに引きずられて、バックライトの輝度を下げることができないという事態を回避できる。その結果、低消費電力化を図ることができる。
【００３７】
第７の構成による表示装置では、画像内容判別手段が抽出した特徴量に基づいて、液晶ディスプレイに表示する合成画像データの輝度を補正する画質補正手段、をさらに備える。
【００３８】
この構成によれば、結果的に、バックライトの輝度の変化に応じて、液晶ディスプレイに表示する合成画像データの輝度が補正されることになるので、バックライトの輝度の変化に対する見かけ上の画質劣化を防止できる。
【００３９】
第８の構成による表示装置では、画質補正手段は、液晶ディスプレイに表示する合成画像データのうち、特徴量を抽出した画像データと、特徴量を抽出した画像データ以外の画像データと、で補正の度合いを異ならせる。
【００４０】
この構成によれば、特徴量を抽出した画像データ以外の画像データに対しては、補正後の最大輝度が補正前の最大輝度を越えないように補正することができるため、全体的に画像が白っぽくなってしまうことを防止できる。
【００４１】
第９の構成による表示装置では、画質補正手段は、合成画像データのうち、特徴量を抽出した画像データ以外の画像データに対しては、予め定められたしきい値を超えないように補正する。
【００４２】
この構成によれば、特徴量を抽出した画像データ以外の画像データに対する補正は、予め定められたしきい値を越えないようにクリップ制御することにより実行できるので、輝度補正に必要な演算量を削減できる。
【００４３】
第１０の構成による表示装置では、画質補正手段は、合成画像データのうち、特徴量を抽出した画像データ以外の画像データを特定の値にする。
【００４４】
この構成によれば、特徴量を抽出した画像データ以外の画像データの補正は、例えば、データをゼロにすることにより、特徴量を抽出した画像以外の画像が黒となり表示されず、特徴量を抽出した画像のみ表示するという特殊効果を得ることができる。
【００４５】
第１１の構成による表示方法では、バックライトを制御して、画像データを液晶ディスプレイに表示させる表示方法であって、液晶ディスプレイに表示する対象である画像データから、任意の画像領域のデータを抽出するステップと、抽出した任意の画像領域のデータの特徴量を抽出するステップと、抽出した特徴量に基づいて、バックライトの輝度を変化させるステップと、を含む。
【００４６】
この構成によれば、画像データ全体から特徴量を抽出するのではなく、画像データから抽出した任意の画像領域のデータから特徴量を抽出し、その特徴量に基づいて、バックライトの輝度を変化させる。その結果、特徴量を抽出するための演算回数を削減できる。
【００４７】
また、バックライトの輝度を変化させる際、抽出した任意の画像領域以外の領域のデータの特徴量は考慮されないので、任意の画像領域以外の領域のデータに引きずられて、バックライトの輝度を下げることができないという事態を回避できる。その結果、低消費電力化を図ることができる。
【００４８】
第１２の構成による表示方法では、バックライトを制御して、合成画像データを液晶ディスプレイに表示させる表示方法であって、入力された複数の画像データを合成して、合成画像データを生成するステップと、入力された複数の画像データのうち、少なくとも１つの画像データから、特徴量を抽出するステップと、抽出した特徴量に基づいて、バックライトの輝度を変化させるステップと、を含む。
【００４９】
この構成によれば、入力される複数の画像データの全てから特徴量を抽出するのではなく、少なくとも１つの画像データから特徴量を抽出し、その特徴量に基づいて、バックライトの輝度を変化させる。その結果、特徴量を抽出するための演算回数を削減できる。
【００５０】
また、バックライトの輝度を変化させる際、特徴量を抽出した画像データ以外の画像データの特徴量は考慮されないので、特徴量を抽出した画像データ以外の画像データに引きずられて、バックライトの輝度を下げることができないという事態を回避できる。その結果、低消費電力化を図ることができる。
【発明の効果】
【００５１】
第１の構成による表示装置では、画像データ全体から特徴量を抽出するのではなく、画像データから抽出した任意の画像領域のデータから特徴量を抽出し、その特徴量に基づいて、バックライトの輝度を変化させる。その結果、特徴量を抽出するための演算回数を削減できる。
【００５２】
また、バックライトの輝度を変化させる際、抽出した任意の画像領域以外の領域のデータの特徴量は考慮されないので、任意の画像領域以外の領域のデータに引きずられて、バックライトの輝度を下げることができないという事態を回避できる。その結果、低消費電力化を図ることができる。
【００５３】
第２の構成による表示装置では、結果的に、バックライトの輝度の変化に応じて、液晶ディスプレイに表示する対象である画像データの輝度が補正されることになるので、バックライトの輝度の変化に対する見かけ上の画質劣化を防止できる。
【００５４】
第３の構成による表示装置では、特徴量を抽出した任意の画像領域以外の領域のデータに対しては、補正後の最大輝度が補正前の最大輝度を越えないように補正することができるため、全体的に画像が白っぽくなってしまうことを防止できる。
【００５５】
第４の構成による表示装置では、特徴量を抽出した任意の画像領域以外の領域のデータに対する補正は、予め定められたしきい値を越えないようにクリップ制御することにより実行できるので、輝度補正に必要な演算量を削減できる。
【００５６】
第５の構成による表示装置では、特徴量を抽出した任意の画像領域以外の領域のデータの補正は、例えば、データをゼロにすることにより、任意の画像領域以外の領域が黒となり表示されず、特徴量を抽出した任意の画像領域のみ表示するという特殊効果を得ることができる。
【００５７】
第６の構成による表示装置では、画像合成手段に入力される複数の画像データの全てから特徴量を抽出するのではなく、少なくとも１つの画像データから特徴量を抽出し、その特徴量に基づいて、バックライトの輝度を変化させる。その結果、特徴量を抽出するための演算回数を削減できる。
【００５８】
また、バックライトの輝度を変化させる際、特徴量を抽出した画像データ以外の画像データの特徴量は考慮されないので、特徴量を抽出した画像データ以外の画像データに引きずられて、バックライトの輝度を下げることができないという事態を回避できる。その結果、低消費電力化を図ることができる。
【００５９】
第７の構成による表示装置では、結果的に、バックライトの輝度の変化に応じて、液晶ディスプレイに表示する合成画像データの輝度が補正されることになるので、バックライトの輝度の変化に対する見かけ上の画質劣化を防止できる。
【００６０】
第８の構成による表示装置では、特徴量を抽出した画像データ以外の画像データに対しては、補正後の最大輝度が補正前の最大輝度を越えないように補正することができるため、全体的に画像が白っぽくなってしまうことを防止できる。
【００６１】
第９の構成による表示装置では、特徴量を抽出した画像データ以外の画像データに対する補正は、予め定められたしきい値を越えないようにクリップ制御することにより実行できるので、輝度補正に必要な演算量を削減できる。
【００６２】
第１０の構成による表示装置では、特徴量を抽出した画像データ以外の画像データの補正は、例えば、データをゼロにすることにより、特徴量を抽出した画像以外の画像が黒となり表示されず、特徴量を抽出した画像のみ表示するという特殊効果を得ることができる。
【００６３】
第１１の構成による表示方法では、画像データ全体から特徴量を抽出するのではなく、画像データから抽出した任意の画像領域のデータから特徴量を抽出し、その特徴量に基づいて、バックライトの輝度を変化させる。その結果、特徴量を抽出するための演算回数を削減できる。
【００６４】
また、バックライトの輝度を変化させる際、抽出した任意の画像領域以外の領域のデータの特徴量は考慮されないので、任意の画像領域以外の領域のデータに引きずられて、バックライトの輝度を下げることができないという事態を回避できる。その結果、低消費電力化を図ることができる。
【００６５】
第１２の構成による表示方法では、入力される複数の画像データの全てから特徴量を抽出するのではなく、少なくとも１つの画像データから特徴量を抽出し、その特徴量に基づいて、バックライトの輝度を変化させる。その結果、特徴量を抽出するための演算回数を削減できる。
【００６６】
また、バックライトの輝度を変化させる際、特徴量を抽出した画像データ以外の画像データの特徴量は考慮されないので、特徴量を抽出した画像データ以外の画像データに引きずられて、バックライトの輝度を下げることができないという事態を回避できる。その結果、低消費電力化を図ることができる。
【図面の簡単な説明】
【００６７】
【図１】本発明の実施の形態１における表示装置のブロック図
【図２】本発明の実施の形態２における表示装置のブロック図
【符号の説明】
【００６８】
１  表示手段
２  ＬＣＤ制御手段
３  画質補正手段
４  バックライト制御手段
５  画像内容判別手段
６  任意領域抽出手段
７  画像合成手段
１１  ＬＣＤ
１２  バックライト
【発明を実施するための形態】
【００６９】
以下、図面を参照して本発明の実施の形態を説明する。
【００７０】
（実施の形態１）
図１は、本発明の実施の形態１による表示装置のブロック図である。
【００７１】
図１に示すように、この表示装置は、表示手段１、ＬＣＤ制御手段２、画質補正手段３、バックライト制御手段４、画像内容判別手段５、及び、任意領域抽出手段６、を具備する。表示手段１は、ＬＣＤ１１およびバックライト１２、を含む。
【００７２】
画質補正手段３および任意領域抽出手段６には、表示手段１で表示する１フレーム分の画像データが入力される。
【００７３】
そして、任意領域抽出手段６は、１フレーム分の画像データから、ＲＯＩ（特定の画像領域）を抽出する。
【００７４】
このＲＯＩは、例えば、人物の顔領域であり、パターンマッチング法などによりこの人物の顔領域が抽出される。
【００７５】
任意領域抽出手段６は、抽出したＲＯＩの画像データを、画像内容判別手段５に入力する。
【００７６】
画像内容判別手段５は、入力されたＲＯＩの画像データの特徴量を抽出する。この特徴量は、例えば、ＲＯＩの全画素の輝度値の平均である平均輝度、ＲＯＩにおける画素単位での最大輝度、および、ＲＯＩにおける画素単位での最小輝度など、がある。
【００７７】
バックライト制御手段４は、画像内容判別手段５が抽出した特徴量（平均輝度、最大輝度、および最小輝度）で表されるＲＯＩの輝度レベルを基に、バックライト１２の輝度を決定し制御する。
【００７８】
一方、バックライト１２の輝度が変更されても画質が劣化しないように、画質補正手段３は、画像内容判別手段５が抽出した特徴量をパラメータとして、１フレーム分の画像データの輝度をバックライト１２の輝度に連動して補正し、最適な輝度とコントラスト比を保持する。
【００７９】
これは、一般に、ＬＣＤのパネルの明るさ（輝度）は、バックライトの輝度だけで決まるものではなく、バックライトの輝度と各画素の透過率との積、即ち、バックライトの輝度と各画素の輝度との積、で決まるためである。
【００８０】
具体的には、バックライト制御手段４は、ＲＯＩの画像データの輝度レベルが低いときは、バックライト１２を暗く、ＲＯＩの画像データの輝度レベルが高いときは、バックライト１２を明るくする。
【００８１】
一方、画質補正手段３は、１フレーム分の画像データの輝度やコントラスト比を調整する。なぜなら、バックライト制御手段４の制御によりバックライト１２の最大輝度が変われば、見た目上画質が変化するため、これを抑制する必要があるからである。
【００８２】
より具体的に説明する。
【００８３】
バックライト制御手段４は、ＲＯＩの画像データが全体的に高輝度であり平均輝度が高い場合は、ＲＯＩの画像データの最大輝度及び最小輝度を考慮した上で、バックライト１２の輝度を上げるように制御する。
【００８４】
一方、画質補正手段３は、１フレーム分の画像データの輝度やコントラスト比を補正して、各画素の透過率（各画素の輝度）を下げて、ＬＣＤ１１のパネルの最大輝度を補正前と同程度にする。
【００８５】
なお、上記したように、ＬＣＤ１１のパネルの明るさ（輝度）は、バックライト１２の輝度と各画素の透過率との積（バックライト１２の輝度と各画素の輝度との積）により決まる。
【００８６】
逆に、バックライト制御手段４は、ＲＯＩの画像データが全体的に低輝度であり平均輝度が低い場合は、ＲＯＩの画像データの最大輝度及び最小輝度を考慮した上で、バックライト１２の輝度を下げるように制御する。
【００８７】
一方、画質補正手段３は、１フレーム分の画像データの輝度やコントラスト比を補正して、各画素の透過率（各画素の輝度）を高めて、ＬＣＤ１１のパネルの最大輝度を補正前と同程度にする。
【００８８】
つまり、画質補正手段３により、１フレーム分の画像データの輝度を最大限（例えば、１画素の輝度が８ビットで表現されるときは、「２５５」）に上げ、バックライト制御手段４により、バックライト１２の輝度を下げる。
【００８９】
例えば、ＲＯＩの画像データの最大輝度が５０％だとすると、バックライト１２の輝度を５０％、１フレーム分の画像データの輝度を１００％となるように補正する。
【００９０】
さて、ＲＯＩ以外の領域の画像は、バックライト１２の輝度制御に関与していないため、その画像の特徴量に関係なくバックライト１２の輝度は変化する。
【００９１】
例えば、バックライト制御手段４によりバックライト１２の輝度を上げるように制御された場合は、画質補正手段３は、１フレーム分の画像データの輝度やコントラスト比を補正して、各画素の透過率（各画素の輝度）を下げるが、ＬＣＤ１１のパネルにおいて、ＲＯＩ以外の領域では、補正前の最大輝度を越える場合がある。
【００９２】
この場合、全体的に画像が白っぽくなってしまうため、画質補正手段３は、ＲＯＩ以外の領域の画像データの輝度の補正は、ＲＯＩの輝度の補正よりも低輝度になるよう制御する。
【００９３】
これにより、ＲＯＩ以外の領域は全体的に暗い画像となり、全体的に画像が白っぽくなるのを防止できる。
【００９４】
逆に、バックライト制御手段４によりバックライト１２の輝度を下げるように制御された場合は、画質補正手段３は、１フレーム分の画像データの輝度やコントラスト比を補正して、各画素の透過率（各画素の輝度）を上げるが、ＬＣＤ１１のパネルにおいて、ＲＯＩ以外の領域では、補正前の最大輝度を越える場合がある。
【００９５】
この場合も同様に、全体的に画像が白っぽくなってしまうため、ＲＯＩ以外の領域の画像データの輝度の補正は、ＲＯＩの輝度の補正よりも低輝度になるよう制御する。
【００９６】
これにより、ＲＯＩ以外の領域は全体的に暗い画像となり、全体的に画像が白っぽくなるのを防止できる。
【００９７】
さて、ＬＣＤ制御手段２は、画質補正手段３が補正した１フレーム分の画像データをＬＣＤ１１で表示するよう制御する。
【００９８】
そして、ＬＣＤ１１は、バックライト制御手段４により制御されたバックライト１２からの光を受けて、画質補正手段３が補正した１フレーム分の画像データを表示する。
【００９９】
さて、以上のように、本実施の形態では、ＲＯＩの特徴量を抽出し、その特徴量に基づいて、バックライト１２の輝度の制御および１フレーム分の画像データの補正を行う。従って、ＲＯＩは、最適な輝度とコントラスト比を得ることができる。
【０１００】
また、１フレーム分の画像データの特徴量から輝度レベルを判断すると、ＲＯＩの輝度レベルが低い場合であっても、ＲＯＩ以外の領域の輝度が高いと、全体としての輝度レベルが高いと判断され、バックライト１２の輝度をあまり下げることはできない。
【０１０１】
しかしながら、本実施の形態では、ＲＯＩのみの画像データの特徴量を抽出して輝度レベルを判断するので、上記のような場合は、輝度レベルが低いと判断されて、バックライト１２の輝度を大きく下げることができる。従って、更なる低消費電力化が実現できる。
【０１０２】
また、本実施の形態では、画像内容判別手段５は、ＲＯＩのみの画像データの特徴量を抽出するだけでよいため、演算量の削減が実現できる。
【０１０３】
また、本実施の形態では、特徴量を抽出したＲＯＩ以外の領域の画像データの補正は、補正後の最大輝度が補正前の最大輝度を越えないように、ＲＯＩの補正の度合いとは異なるようにすることで、全体的に画像が白っぽくなってしまうことを防止できる。
【０１０４】
さて、画質補正手段３による補正は、次のようにすることもできる。
【０１０５】
つまり、画質補正手段３は、ＲＯＩ以外の領域の画像データの補正をする際、ＬＣＤ１１のパネルの最大輝度のしきい値を予め設定し、ＲＯＩ以外の領域の補正後の最大輝度を、予め設定された最大輝度のしきい値を越えないようにクリップ制御する。
【０１０６】
この場合は、ＲＯＩ以外の領域についての補正前の最大輝度を越える補正により、全体的に画像が白っぽくなってしまうことを防止するための最大輝度の補正を、しきい値によるクリップ処理のみで実行できるため、輝度補正に必要な演算量を削減できる。
【０１０７】
また、画質補正手段３による補正は、次のようにすることもできる。
【０１０８】
つまり、画質補正手段３は、ＲＯＩ以外の領域の画像データの補正をする際、ＲＯＩ以外の領域の画像データをゼロにする。
【０１０９】
この場合、ＲＯＩ以外の領域が黒となり、ＲＯＩ以外の領域の画像は表示されない。つまり、ＲＯＩのみ表示するという特殊効果を得ることができる。
【０１１０】
なお、上記では、ＲＯＩの画像データが全体的に低輝度であり平均輝度が低い場合は、画質補正手段３により、１フレーム分の画像データの輝度を最大限に上げた。
【０１１１】
こうすれば、バックライト制御手段４により、バックライト１２の輝度を、最大限に下げることができて、低消費電力化という効果を最大限に発揮できる。
【０１１２】
しかし、ＲＯＩの画像データが全体的に低輝度であり平均輝度が低い場合に、画質補正手段３により、１フレーム分の画像データの輝度を最大限に上げない場合でも、輝度を上げることにより、バックライト１２の輝度を下げることができるので、低消費電力化という効果を得ることができる。
【０１１３】
また、上記では、画質内容判別手段５は、特徴量として、ＲＯＩの、平均輝度、最大輝度、及び、最小輝度を抽出した。
【０１１４】
しかし、必ずしも、これら３つの特徴量を抽出しなければならないわけではなく、いずれか１つ、又は、２つでもよい。
【０１１５】
（実施の形態２）
図２は、本発明の実施の形態２による表示装置のブロック図である。なお、図２において、図１と同様の部分については、同一の符号を付して、説明を適宜省略する。
【０１１６】
図２に示すように、この表示装置は、表示手段１、ＬＣＤ制御手段２、画質補正手段３、バックライト制御手段４、画像内容判別手段５、及び、画像合成手段７、を具備する。表示手段１は、ＬＣＤ１１およびバックライト１２、を含む。
【０１１７】
画像内容判別手段５には、表示される画像の内の１つである第１の画像データが入力される。この第１の画像データは、例えば、テレビ電話での対局の画像データである。
【０１１８】
画像内容判別手段５は、入力された第１の画像データの特徴量を抽出する。この特徴量には、例えば、第１の画像データの１フレーム当たりの平均輝度、第１の画像データの１フレームにおける最大輝度、及び、第１の画像データの１フレームにおける最小輝度などがある。
【０１１９】
バックライト制御手段４は、画像内容判別手段５が抽出した特徴量（平均輝度、最大輝度、および最小輝度）で表される第１の画像データの輝度レベルを基に、バックライト１２の輝度を決定し制御する。
【０１２０】
また、複数の画像データを合成する画像合成手段７には、第１の画像データと第２の画像データとが入力される。例えば、この第２の画像データは、テレビ電話での自局の画像データである。
【０１２１】
そして、画像合成手段７は、第１の画像データと第２の画像データとを合成して、ＬＣＤ１１に表示する合成画像データを生成する。
【０１２２】
画質補正手段３には、画像合成手段７が生成した合成画像データが入力される。そして、バックライト１２の輝度が変更されても画質が劣化しないように、画質補正手段３は、画像内容判別手段５が抽出した特徴量をパラメータとして、合成画像データの輝度をバックライト１２の輝度に連動して補正し、最適な輝度とコントラスト比を保持する。これにより、合成画像における第１の画像データの領域は最適なコントラスト比を得ることができる。
【０１２３】
具体的には、バックライト制御手段４は、第１の画像データの輝度レベルが低いときは、バックライト１２を暗く、第１の画像データの輝度レベルが高いときは、バックライト１２を明るくする。
【０１２４】
一方、画質補正手段３は、合成画像データの輝度やコントラスト比を調整する。なぜなら、バックライト制御手段４の制御によりバックライト１２の最大輝度が変われば、見た目上画質が変化するため、これを抑制する必要があるからである。
【０１２５】
より具体的に説明する。
【０１２６】
バックライト制御手段４は、第１の画像データが全体的に高輝度であり平均輝度が高い場合は、第１の画像データの最大輝度及び最小輝度を考慮した上で、バックライト１２の輝度を上げるように制御する。
【０１２７】
一方、画質補正手段３は、合成画像データの輝度やコントラスト比を補正して、各画素の透過率（各画素の輝度）を下げて、ＬＣＤ１１のパネルの最大輝度を補正前と同程度にする。
【０１２８】
なお、上記したように、ＬＣＤ１１のパネルの明るさ（輝度）は、バックライト１２の輝度と各画素の透過率との積（バックライト１２の輝度と各画素の輝度との積）により決まる。
【０１２９】
逆に、バックライト制御手段４は、第１のの画像データが全体的に低輝度であり平均輝度が低い場合は、第１の画像データの最大輝度及び最小輝度を考慮した上で、バックライト１２の輝度を下げるように制御する。
【０１３０】
一方、画質補正手段３は、合成画像データの輝度やコントラスト比を補正して、各画素の透過率（各画素の輝度）を高めて、ＬＣＤ１１のパネルの最大輝度を補正前と同程度にする。
【０１３１】
つまり、画質補正手段３により、合成画像データの輝度を最大限（例えば、１画素の輝度が８ビットで表現されるときは、「２５５」）に上げ、バックライト制御手段４により、バックライト１２の輝度を下げる。
【０１３２】
例えば、第１の画像データの最大輝度が５０％だとすると、バックライト１２の輝度を５０％、合成画像データの輝度を１００％となるように補正する。
【０１３３】
さて、第２の画像データは、バックライト１２の輝度制御に関与していないため、第２の画像データの特徴量に関係なくバックライト１２の輝度は変化する。
【０１３４】
例えば、バックライト制御手段４によりバックライト１２の輝度を上げるように制御された場合は、画質補正手段３は、合成画像データの輝度やコントラスト比を補正して、各画素の透過率（各画素の輝度）を下げるが、ＬＣＤ１１のパネルにおいて、合成画像における第２の画像データの領域では、補正前の最大輝度を越える場合がある。
【０１３５】
この場合、全体的に画像が白っぽくなってしまうため、画質補正手段３は、合成画像における第２の画像データの領域の輝度の補正は、合成画像における第１の画像データの領域の輝度の補正よりも低輝度になるよう制御する。
【０１３６】
これにより、合成画像における第２の画像データの領域は全体的に暗い画像となり、全体的に画像が白っぽくなるのを防止できる。
【０１３７】
逆に、バックライト制御手段４によりバックライト１２の輝度を下げるように制御された場合は、画質補正手段３は、合成画像データの輝度やコントラスト比を補正して、各画素の透過率（各画素の輝度）を上げるが、ＬＣＤ１１のパネルにおいて、合成画像における第２の画像データの領域では、補正前の最大輝度を越える場合がある。
【０１３８】
この場合も同様に、全体的に画像が白っぽくなってしまうため、合成画像における第２の画像データの領域の輝度の補正は、合成画像における第１の画像データの領域の輝度の補正よりも低輝度になるよう制御する。
【０１３９】
これにより、合成画像における第２の画像データの領域は全体的に暗い画像となり、全体的に画像が白っぽくなるのを防止できる。
【０１４０】
さて、ＬＣＤ制御手段２は、画質補正手段３が補正した合成画像データをＬＣＤ１１で表示するよう制御する。
【０１４１】
そして、ＬＣＤ１１は、バックライト制御手段４により制御されたバックライト１２からの光を受けて、画質補正手段３が補正した合成画像データを表示する。
【０１４２】
さて、以上のように、本実施の形態では、第１の画像データの特徴量を抽出し、その特徴量に基づいて、バックライト１２の輝度の制御および合成画像データの補正を行う。従って、合成画像における第１の画像データの領域は、最適な輝度とコントラスト比を得ることができる。
【０１４３】
また、合成画像データの特徴量から輝度レベルを判断すると、第１の画像データの輝度レベルが低い場合であっても、第２の画像データの輝度が高いと、全体としての輝度レベルが高いと判断され、バックライト１２の輝度をあまり下げることはできない。
【０１４４】
しかしながら、本実施の形態では、第１の画像データのみの特徴量を抽出して輝度レベルを判断するので、上記のような場合は、輝度レベルが低いと判断されて、バックライト１２の輝度を大きく下げることができる。従って、更なる低消費電力化が実現できる。
【０１４５】
また、本実施の形態では、画像内容判別手段５は、第１の画像データのみの特徴量を抽出するだけでよいため、演算量の削減が実現できる。
【０１４６】
また、本実施の形態では、特徴量を抽出した第１の画像データの領域以外の第２の画像データの領域の補正は、補正後の最大輝度が補正前の最大輝度を越えないように、第１の画像データの領域の補正の度合いとは異なるようにすることで、全体的に画像が白っぽくなってしまうことを防止できる。
【０１４７】
さて、画質補正手段３による補正は、次のようにすることもできる。
【０１４８】
つまり、画質補正手段３は、合成画像における第２の画像データの領域の補正をする際、ＬＣＤ１１のパネルの最大輝度のしきい値を予め設定し、第２の画像データの領域の補正後の最大輝度を、予め設定された最大輝度のしきい値を越えないようにクリップ制御する。
【０１４９】
この場合は、第２の画像データの領域についての補正前の最大輝度を越える補正により、全体的に画像が白っぽくなってしまうことを防止するための最大輝度の補正を、しきい値によるクリップ処理のみで実行できるため、輝度補正に必要な演算量を削減できる。
【０１５０】
また、画質補正手段３による補正は、次のようにすることもできる。
【０１５１】
つまり、画質補正手段３は、合成画像における第２の画像データの領域の補正をする際、第２の画像データをゼロにする。
【０１５２】
この場合、合成画像における第２の画像データの領域が黒となり、第２の画像データの領域の画像は表示されない。つまり、第１の画像データの領域の画像のみを表示するという特殊効果を得ることができる。
【０１５３】
なお、上記では、第１の画像データが全体的に低輝度であり平均輝度が低い場合は、画質補正手段３により、合成画像データの輝度を最大限に上げた。
【０１５４】
こうすれば、バックライト制御手段４により、バックライト１２の輝度を、最大限に下げることができて、低消費電力化という効果を最大限に発揮できる。
【０１５５】
しかし、第１の画像データが全体的に低輝度であり平均輝度が低い場合に、画質補正手段３により、合成画像データの輝度を最大限に上げない場合でも、輝度を上げることにより、バックライト１２の輝度を下げることができるので、低消費電力化という効果を得ることができる。
【０１５６】
また、上記では、画質内容判別手段５は、特徴量として、第１の画像データの、平均輝度、最大輝度、及び、最小輝度を抽出した。
【０１５７】
しかし、必ずしも、これら３つの特徴量を抽出しなければならないわけではなく、いずれか１つ、又は、２つでもよい。
【０１５８】
また、上記では、第１の画像データから特徴量を抽出し、第１の画像データに合わせて輝度の補正を行ったが、もちろん第２の画像データを基準に輝度の補正を行ってもよい。
【０１５９】
また、上記では、２つの画像データについて説明したが、もちろん３つ以上の画像データを入力とし、その内の特定の画像データを基準に輝度の補正を行うことも可能である。
【図１】
2010164977.tif 000003
【図２】
2010164977.tif 000004